(57)【要約】  【解決手段】  走査駆動回路（１０）は、カスケード走査線を駆動操作するために用いられ、プルアップ制御モジュール（１１）と、駆動モジュール（１２）と、プルダウンモジュール（１３）と、プルダウン維持モジュール（１４）と、定電圧Ｌｏｗレベル源（ＶＳＳ）とを含み、プルアップ制御モジュール（１１）は、第１のスイッチトランジスタ（Ｔ１）と、第２のスイッチトランジスタ（Ｔ２）と、第３のスイッチトランジスタ（Ｔ３）とを含む。  【選択図】      図１
2019537044.tif 000002
【特許請求の範囲】
【請求項１】
カスケード走査線を駆動操作するための走査駆動回路であって、
前段の走査信号を受信し、前記前段の走査信号に基づいて、対応する前記走査線の走査レベル信号を生成するためのプルアップ制御モジュールと、
前記走査レベル信号および自段のクロック信号に基づいて、対応する前記走査線の自段の走査信号をプルアップするための駆動モジュールと、
次段の走査信号に基づいて、対応する前記走査線の走査レベル信号をプルダウンするためのプルダウンモジュールと、
対応する前記走査線の走査レベル信号のＬｏｗレベルを維持するためのプルダウン維持モジュールと、
プルダウンＬｏｗレベルを提供するための定電圧Ｌｏｗレベル源とを含み、
前記プルアップ制御モジュールは、第１のスイッチトランジスタと、第２のスイッチトランジスタと、第３のスイッチトランジスタとを含み、前記第１のスイッチトランジスタの入力端子に、前記前段の走査信号を入力し、前記第１のスイッチトランジスタの制御端子に、前記前段の走査信号を入力し、前記第１のスイッチトランジスタの出力端子は、前記第２のスイッチトランジスタの入力端子と接続され、前記第２のスイッチトランジスタの制御端子に、前記前段の走査信号を入力し、前記第２のスイッチトランジスタの出力端子は、前記走査レベル信号を出力し、前記第３のスイッチトランジスタの入力端子は、定電圧Ｈｉｇｈレベル源と接続され、前記第３のスイッチトランジスタの出力端子は、前記第２のスイッチトランジスタの入力端子と接続され、前記第３のスイッチトランジスタの制御端子は、前記第２のスイッチトランジスタの出力端子と接続された、走査駆動回路。
【請求項２】
前記前段の走査信号は、前の４段の走査信号であり、前記次段の走査信号は、次の５段の走査信号である、請求項１に記載の走査駆動回路。
【請求項３】
前記駆動モジュールは、第４のスイッチトランジスタと、第５のスイッチトランジスタとを含み、
前記第４のスイッチトランジスタの制御端子は、前記プルアップ制御モジュールの出力と接続され、前記第４のスイッチトランジスタの入力端子に、前記自段のクロック信号を入力し、前記第４のスイッチトランジスタの出力端子は、自段のカスケード信号を出力し、前記第５のスイッチトランジスタの制御端子は、前記プルアップ制御モジュールの出力と接続され、前記第５のスイッチトランジスタの入力端子に、前記自段のクロック信号を入力し、前記第５のスイッチトランジスタの出力端子は、自段の走査信号を出力する、請求項１に記載の走査駆動回路。
【請求項４】
前記走査線の自段の走査信号のＨｉｇｈレベルを生成するためのブートストラップキャパシタをさらに含み、
前記ブートストラップキャパシタの一端は、前記プルアップ制御モジュールの出力と接続され、前記ブートストラップキャパシタの他端は、前記第５のスイッチトランジスタの出力端子と接続された、請求項３に記載の走査駆動回路。
【請求項５】
前記プルダウンモジュールは、第６のスイッチトランジスタと、第７のスイッチトランジスタとを含み、
前記第６のスイッチトランジスタの制御端子に、前記次段の走査信号を入力し、前記第６のスイッチトランジスタの入力端子は、前記定電圧Ｌｏｗレベル源と接続され、前記第６のスイッチトランジスタの出力端子は、前記第２のスイッチトランジスタの出力端子と接続され、
前記第７のスイッチトランジスタの制御端子に、前記次段の走査信号を入力し、前記第７のスイッチトランジスタの入力端子は、前記定電圧Ｌｏｗレベル源と接続され、前記第７のスイッチトランジスタの出力端子は、前記駆動モジュールの出力端子と接続された、請求項１に記載の走査駆動回路。
【請求項６】
前記プルダウン維持モジュールは、第８のスイッチトランジスタと、第９のスイッチトランジスタと、第１０のスイッチトランジスタと、第１１のスイッチトランジスタと、第１２のスイッチトランジスタと、第１３のスイッチトランジスタと、第１４のスイッチトランジスタと、第１５のスイッチトランジスタと、第１６のスイッチトランジスタと、第１７のスイッチトランジスタと、第１８のスイッチトランジスタと、第１９のスイッチトランジスタとを含み、
前記第８のスイッチトランジスタの制御端子は、第１の基準点と接続され、前記第８のスイッチトランジスタの入力端子は、前記定電圧Ｌｏｗレベル源と接続され、前記第８のスイッチトランジスタの出力端子は、前記第２のスイッチトランジスタの出力端子と接続され、
前記第９のスイッチトランジスタの制御端子は、前記第１の基準点と接続され、前記第９のスイッチトランジスタの入力端子は、前記定電圧Ｌｏｗレベル源と接続され、前記第９のスイッチトランジスタの出力端子は、前記駆動モジュールの出力端子と接続され、
前記第１０のスイッチトランジスタの制御端子は、前記第１２のスイッチトランジスタの出力端子と接続され、前記第１０のスイッチトランジスタの入力端子に、第１の低周波電位信号を入力し、前記第１０のスイッチトランジスタの出力端子は、前記第１の基準点と接続され、
前記第１１のスイッチトランジスタの制御端子は、前記第２のスイッチトランジスタの出力端子と接続され、前記第１１のスイッチトランジスタの入力端子は、前記定電圧Ｌｏｗレベル源と接続され、前記第１１のスイッチトランジスタの出力端子は、前記第１の基準点と接続され、
前記第１２のスイッチトランジスタの制御端子に、前記第１の低周波電位信号を入力し、前記第１２のスイッチトランジスタの入力端子に、前記第１の低周波電位信号を入力し、
前記第１３のスイッチトランジスタの制御端子は、前記第２のスイッチトランジスタの出力端子と接続され、前記第１３のスイッチトランジスタの入力端子は、前記定電圧Ｌｏｗレベル源と接続され、前記第１３のスイッチトランジスタの出力端子は、前記第１０のスイッチトランジスタの制御端子と接続され、
前記第１４のスイッチトランジスタの制御端子は、第２の基準点と接続され、前記第１４のスイッチトランジスタの入力端子は、前記定電圧Ｌｏｗレベル源と接続され、前記第１４のスイッチトランジスタの出力端子は、前記第２のスイッチトランジスタの出力端子と接続され、
前記第１５のスイッチトランジスタの制御端子は、前記第２の基準点と接続され、前記第１５のスイッチトランジスタの入力端子は、前記定電圧Ｌｏｗレベル源と接続され、前記第１５のスイッチトランジスタの出力端子は、前記駆動モジュールの出力端子と接続され、
前記第１６のスイッチトランジスタの制御端子は、前記第１８のスイッチトランジスタの出力端子と接続され、前記第１６のスイッチトランジスタの入力端子に、第２の低周波電位信号を入力し、前記第１６のスイッチトランジスタの出力端子は、前記第２の基準点と接続され、
前記第１７のスイッチトランジスタの制御端子は、前記第２のスイッチトランジスタの出力端子と接続され、前記第１７のスイッチトランジスタの入力端子は、前記定電圧Ｌｏｗレベル源と接続され、前記第１７のスイッチトランジスタの出力端子は、前記第２の基準点と接続され、
前記第１８のスイッチトランジスタの制御端子に、前記第２の低周波電位信号を入力し、前記第１８のスイッチトランジスタの入力端子に、前記第２の低周波電位信号を入力し、
前記第１９のスイッチトランジスタの制御端子は、前記第２のスイッチトランジスタの出力端子と接続され、前記第１９のスイッチトランジスタの入力端子は、前記定電圧Ｌｏｗレベル源と接続され、前記第１９のスイッチトランジスタの出力端子は、前記第１６のスイッチトランジスタの制御端子と接続された、請求項１に記載の走査駆動回路。
【請求項７】
前記第１の低周波電位信号と前記第２の低周波電位信号とは、逆相信号である、請求項６に記載の走査駆動回路。
【請求項８】
カスケード走査線を駆動操作するための走査駆動回路であって、
前段の走査信号を受信し、前記前段の走査信号に基づいて、対応する前記走査線の走査レベル信号を生成するためのプルアップ制御モジュールと、
前記走査レベル信号および自段のクロック信号に基づいて、対応する前記走査線の自段の走査信号をプルアップするための駆動モジュールと、
次段の走査信号に基づいて、対応する前記走査線の走査レベル信号をプルダウンするためのプルダウンモジュールと、
対応する前記走査線の走査レベル信号のＬｏｗレベルを維持するためのプルダウン維持モジュールと、
プルダウンＬｏｗレベルを提供するための定電圧Ｌｏｗレベル源とを含み、
前記プルアップ制御モジュールは、第１のスイッチトランジスタと、第２のスイッチトランジスタと、第３のスイッチトランジスタとを含み、前記第１のスイッチトランジスタの入力端子に、前記前段の走査信号を入力し、前記第１のスイッチトランジスタの制御端子に、前記前段の走査信号を入力し、前記第１のスイッチトランジスタの出力端子は、前記第２のスイッチトランジスタの入力端子と接続され、前記第２のスイッチトランジスタの制御端子に、前記前段の走査信号を入力し、前記第２のスイッチトランジスタの出力端子は、前記走査レベル信号を出力し、前記第３のスイッチトランジスタの入力端子は、駆動モジュールの出力端子と接続され、前記第３のスイッチトランジスタの出力端子は、前記第２のスイッチトランジスタの入力端子と接続され、前記第３のスイッチトランジスタの制御端子は、前記第２のスイッチトランジスタの出力端子と接続された、走査駆動回路。
【請求項９】
前記前段の走査信号は、前の４段の走査信号であり、前記次段の走査信号は、次の５段の走査信号である、請求項８に記載の走査駆動回路。
【請求項１０】
前記駆動モジュールは、第４のスイッチトランジスタと、第５のスイッチトランジスタとを含み、
前記第４のスイッチトランジスタの制御端子は、前記プルアップ制御モジュールの出力と接続され、前記第４のスイッチトランジスタの入力端子に、前記自段のクロック信号を入力し、前記第４のスイッチトランジスタの出力端子は、自段のカスケード信号を出力し、前記第５のスイッチトランジスタの制御端子は、前記プルアップ制御モジュールの出力と接続され、前記第５のスイッチトランジスタの入力端子に、前記自段のクロック信号を入力し、前記第５のスイッチトランジスタの出力端子は、自段の走査信号を出力する、請求項８に記載の走査駆動回路。
【請求項１１】
前記走査線の自段の走査信号のＨｉｇｈレベルを生成するためのブートストラップキャパシタをさらに含み、
前記ブートストラップキャパシタの一端は、前記プルアップ制御モジュールの出力と接続され、前記ブートストラップキャパシタの他端は、前記第５のスイッチトランジスタの出力端子と接続された、請求項１０に記載の走査駆動回路。
【請求項１２】
前記プルダウンモジュールは、第６のスイッチトランジスタと、第７のスイッチトランジスタとを含み、
前記第６のスイッチトランジスタの制御端子に、前記次段の走査信号を入力し、前記第６のスイッチトランジスタの入力端子は、前記定電圧Ｌｏｗレベル源と接続され、前記第６のスイッチトランジスタの出力端子は、前記第２のスイッチトランジスタの出力端子と接続され、
前記第７のスイッチトランジスタの制御端子に、前記次段の走査信号を入力し、前記第７のスイッチトランジスタの入力端子は、前記定電圧Ｌｏｗレベル源と接続され、前記第７のスイッチトランジスタの出力端子は、前記駆動モジュールの出力端子と接続された、請求項８に記載の走査駆動回路。
【請求項１３】
前記プルダウン維持モジュールは、第８のスイッチトランジスタと、第９のスイッチトランジスタと、第１０のスイッチトランジスタと、第１１のスイッチトランジスタと、第１２のスイッチトランジスタと、第１３のスイッチトランジスタと、第１４のスイッチトランジスタと、第１５のスイッチトランジスタと、第１６のスイッチトランジスタと、第１７のスイッチトランジスタと、第１８のスイッチトランジスタと、第１９のスイッチトランジスタとを含み、
前記第８のスイッチトランジスタの制御端子は、第１の基準点と接続され、前記第８のスイッチトランジスタの入力端子は、前記定電圧Ｌｏｗレベル源と接続され、前記第８のスイッチトランジスタの出力端子は、前記第２のスイッチトランジスタの出力端子と接続され、
前記第９のスイッチトランジスタの制御端子は、前記第１の基準点と接続され、前記第９のスイッチトランジスタの入力端子は、前記定電圧Ｌｏｗレベル源と接続され、前記第９のスイッチトランジスタの出力端子は、前記駆動モジュールの出力端子と接続され、
前記第１０のスイッチトランジスタの制御端子は、前記第１２のスイッチトランジスタの出力端子と接続され、前記第１０のスイッチトランジスタの入力端子に、第１の低周波電位信号を入力し、前記第１０のスイッチトランジスタの出力端子は、前記第１の基準点と接続され、
前記第１１のスイッチトランジスタの制御端子は、前記第２のスイッチトランジスタの出力端子と接続され、前記第１１のスイッチトランジスタの入力端子は、前記定電圧Ｌｏｗレベル源と接続され、前記第１１のスイッチトランジスタの出力端子は、前記第１の基準点と接続され、
前記第１２のスイッチトランジスタの制御端子に、前記第１の低周波電位信号を入力し、前記第１２のスイッチトランジスタの入力端子に、前記第１の低周波電位信号を入力し、
前記第１３のスイッチトランジスタの制御端子は、前記第２のスイッチトランジスタの出力端子と接続され、前記第１３のスイッチトランジスタの出力端子は、前記定電圧Ｌｏｗレベル源と接続され、前記第１３のスイッチトランジスタの入力端子は、前記第１０のスイッチトランジスタの制御端子と接続され、
前記第１４のスイッチトランジスタの制御端子は、第２の基準点と接続され、前記第１４のスイッチトランジスタの入力端子は、前記定電圧Ｌｏｗレベル源と接続され、前記第１４のスイッチトランジスタの出力端子は、前記第２のスイッチトランジスタの出力端子と接続され、
前記第１５のスイッチトランジスタの制御端子は、前記第２の基準点と接続され、前記第１５のスイッチトランジスタの入力端子は、前記定電圧Ｌｏｗレベル源と接続され、前記第１５のスイッチトランジスタの出力端子は、前記駆動モジュールの出力端子と接続され、
前記第１６のスイッチトランジスタの制御端子は、前記第１８のスイッチトランジスタの出力端子と接続され、前記第１６のスイッチトランジスタの入力端子に、第２の低周波電位信号を入力し、前記第１６のスイッチトランジスタの出力端子は、前記第２の基準点と接続され、
前記第１７のスイッチトランジスタの制御端子は、前記第２のスイッチトランジスタの出力端子と接続され、前記第１７のスイッチトランジスタの入力端子は、前記定電圧Ｌｏｗレベル源と接続され、前記第１７のスイッチトランジスタの出力端子は、前記第２の基準点と接続され、
前記第１８のスイッチトランジスタの制御端子に、前記第２の低周波電位信号を入力し、前記第１８のスイッチトランジスタの入力端子に、前記第２の低周波電位信号を入力し、
前記第１９のスイッチトランジスタの制御端子は、前記第２のスイッチトランジスタの出力端子と接続され、前記第１９のスイッチトランジスタの入力端子は、前記定電圧Ｌｏｗレベル源と接続され、前記第１９のスイッチトランジスタの出力端子は、前記第１６のスイッチトランジスタの制御端子と接続された、請求項８に記載の走査駆動回路。
【請求項１４】
前記第１の低周波電位信号と前記第２の低周波電位信号とは、逆相信号である、請求項１３に記載の走査駆動回路。
【請求項１５】
カスケード走査線を駆動操作するための走査駆動回路を含む表示装置であって、前記走査駆動回路は、
前段の走査信号を受信し、前記前段の走査信号に基づいて、対応する前記走査線の走査レベル信号を生成するためのプルアップ制御モジュールと、
前記走査レベル信号および自段のクロック信号に基づいて、対応する前記走査線の自段の走査信号をプルアップするための駆動モジュールと、
次段の走査信号に基づいて、対応する前記走査線の走査レベル信号をプルダウンするためのプルダウンモジュールと、
対応する前記走査線の走査レベル信号のＬｏｗレベルを維持するためのプルダウン維持モジュールと、
プルダウンＬｏｗレベルを提供するための定電圧Ｌｏｗレベル源とを含み、
前記プルアップ制御モジュールは、第１のスイッチトランジスタと、第２のスイッチトランジスタと、第３のスイッチトランジスタとを含み、前記第１のスイッチトランジスタの入力端子に、前記前段の走査信号を入力し、前記第１のスイッチトランジスタの制御端子に、前記前段の走査信号を入力し、前記第１のスイッチトランジスタの出力端子は、前記第２のスイッチトランジスタの入力端子と接続され、前記第２のスイッチトランジスタの制御端子に、前記前段の走査信号を入力し、前記第２のスイッチトランジスタの出力端子は、前記走査レベル信号を出力し、前記第３のスイッチトランジスタの入力端子は、定電圧Ｈｉｇｈレベル源と接続され、前記第３のスイッチトランジスタの出力端子は、前記第２のスイッチトランジスタの入力端子と接続され、前記第３のスイッチトランジスタの制御端子は、前記第２のスイッチトランジスタの出力端子と接続された、表示装置。
【請求項１６】
前記前段の走査信号は、前の４段の走査信号であり、前記次段の走査信号は、次の５段の走査信号である、請求項１５に記載の表示装置。
【請求項１７】
前記駆動モジュールは、第４のスイッチトランジスタと、第５のスイッチトランジスタとを含み、
前記第４のスイッチトランジスタの制御端子は、前記プルアップ制御モジュールの出力と接続され、前記第４のスイッチトランジスタの入力端子に、前記自段のクロック信号を入力し、前記第４のスイッチトランジスタの出力端子は、自段のカスケード信号を出力し、前記第５のスイッチトランジスタの制御端子は、前記プルアップ制御モジュールの出力と接続され、前記第５のスイッチトランジスタの入力端子に、前記自段のクロック信号を入力し、前記第５のスイッチトランジスタの出力端子は、自段の走査信号を出力する、請求項１５に記載の表示装置。
【請求項１８】
前記走査駆動回路は、前記走査線の自段の走査信号のＨｉｇｈレベルを生成するためのブートストラップキャパシタをさらに含み、
前記ブートストラップキャパシタの一端は、前記プルアップ制御モジュールの出力と接続され、前記ブートストラップキャパシタの他端は、前記第５のスイッチトランジスタの出力端子と接続された、請求項１７に記載の表示装置。
【請求項１９】
前記プルダウンモジュールは、第６のスイッチトランジスタと、第７のスイッチトランジスタとを含み、
前記第６のスイッチトランジスタの制御端子に、前記次段の走査信号を入力し、前記第６のスイッチトランジスタの入力端子は、前記定電圧Ｌｏｗレベル源と接続され、前記第６のスイッチトランジスタの出力端子は、前記第２のスイッチトランジスタの出力端子と接続され、
前記第７のスイッチトランジスタの制御端子に、前記次段の走査信号を入力し、前記第７のスイッチトランジスタの入力端子は、前記定電圧Ｌｏｗレベル源と接続され、前記第７のスイッチトランジスタの出力端子は、前記駆動モジュールの出力端子と接続された、請求項１５に記載の表示装置。
【請求項２０】
前記プルダウン維持モジュールは、第８のスイッチトランジスタと、第９のスイッチトランジスタと、第１０のスイッチトランジスタと、第１１のスイッチトランジスタと、第１２のスイッチトランジスタと、第１３のスイッチトランジスタと、第１４のスイッチトランジスタと、第１５のスイッチトランジスタと、第１６のスイッチトランジスタと、第１７のスイッチトランジスタと、第１８のスイッチトランジスタと、第１９のスイッチトランジスタとを含み、
前記第８のスイッチトランジスタの制御端子は、第１の基準点と接続され、前記第８のスイッチトランジスタの入力端子は、前記定電圧Ｌｏｗレベル源と接続され、前記第８のスイッチトランジスタの出力端子は、前記第２のスイッチトランジスタの出力端子と接続され、
前記第９のスイッチトランジスタの制御端子は、前記第１の基準点と接続され、前記第９のスイッチトランジスタの入力端子は、前記定電圧Ｌｏｗレベル源と接続され、前記第９のスイッチトランジスタの出力端子は、前記駆動モジュールの出力端子と接続され、
前記第１０のスイッチトランジスタの制御端子は、前記第１２のスイッチトランジスタの出力端子と接続され、前記第１０のスイッチトランジスタの入力端子に、第１の低周波電位信号を入力し、前記第１０のスイッチトランジスタの出力端子は、前記第１の基準点と接続され、
前記第１１のスイッチトランジスタの制御端子は、前記第２のスイッチトランジスタの出力端子と接続され、前記第１１のスイッチトランジスタの入力端子は、前記定電圧Ｌｏｗレベル源と接続され、前記第１１のスイッチトランジスタの出力端子は、前記第１の基準点と接続され、
前記第１２のスイッチトランジスタの制御端子に、前記第１の低周波電位信号を入力し、前記第１２のスイッチトランジスタの入力端子に、前記第１の低周波電位信号を入力し、
前記第１３のスイッチトランジスタの制御端子は、前記第２のスイッチトランジスタの出力端子と接続され、前記第１３のスイッチトランジスタの入力端子は、前記定電圧Ｌｏｗレベル源と接続され、前記第１３のスイッチトランジスタの出力端子は、前記第１０のスイッチトランジスタの制御端子と接続され、
前記第１４のスイッチトランジスタの制御端子は、第２の基準点と接続され、前記第１４のスイッチトランジスタの入力端子は、前記定電圧Ｌｏｗレベル源と接続され、前記第１４のスイッチトランジスタの出力端子は、前記第２のスイッチトランジスタの出力端子と接続され、
前記第１５のスイッチトランジスタの制御端子は、前記第２の基準点と接続され、前記第１５のスイッチトランジスタの入力端子は、前記定電圧Ｌｏｗレベル源と接続され、前記第１５のスイッチトランジスタの出力端子は、前記駆動モジュールの出力端子と接続され、
前記第１６のスイッチトランジスタの制御端子は、前記第１８のスイッチトランジスタの出力端子と接続され、前記第１６のスイッチトランジスタの入力端子に、第２の低周波電位信号を入力し、前記第１６のスイッチトランジスタの出力端子は、前記第２の基準点と接続され、
前記第１７のスイッチトランジスタの制御端子は、前記第２のスイッチトランジスタの出力端子と接続され、前記第１７のスイッチトランジスタの入力端子は、前記定電圧Ｌｏｗレベル源と接続され、前記第１７のスイッチトランジスタの出力端子は、前記第２の基準点と接続され、
前記第１８のスイッチトランジスタの制御端子に、前記第２の低周波電位信号を入力し、前記第１８のスイッチトランジスタの入力端子に、前記第２の低周波電位信号を入力し、
前記第１９のスイッチトランジスタの制御端子は、前記第２のスイッチトランジスタの出力端子と接続され、前記第１９のスイッチトランジスタの入力端子は、前記定電圧Ｌｏｗレベル源と接続され、前記第１９のスイッチトランジスタの出力端子は、前記第１６のスイッチトランジスタの制御端子と接続された、請求項１５に記載の表示装置。
【発明の詳細な説明】
【技術分野】
【０００１】
本発明は、表示駆動分野に関し、特に走査駆動回路および表示装置に関する。
【背景技術】
【０００２】
Ｇａｔｅ  Ｄｒｉｖｅｒ  Ｏｎ  Ａｒｒａｙ、略称ＧＯＡは、すなわち従来の薄膜トランジスタ液晶表示器のアレイ基板上に走査駆動回路を製作し、走査線を順次走査する駆動方式を実現するものである。
【０００３】
従来の走査駆動回路は、複数のＧＯＡユニットを含み、各ＧＯＡユニットは、１段の走査線に対応して駆動する。具体的には、各ＧＯＡユニットは、プルアップ制御モジュールと、駆動モジュールと、プルダウンモジュールと、プルダウン維持モジュールとを含む。
【０００４】
従来のプルアップ制御モジュールは通常、単一のスイッチトランジスタからなり、走査駆動回路が高温状態で作動する場合、スイッチトランジスタの閾値電圧は、マイナス値に向かって移動するため、プルアップ制御モジュールのスイッチトランジスタは、漏電を発生しやすく、したがって、プルアップ制御モジュールの入力信号に変化が生じた場合、該入力信号の変化は、駆動モジュールの出力信号に対して極めて影響を引き起こしやすく、そのため、該走査駆動回路の信頼性に影響を及ぼす。
【０００５】
故に、走査駆動回路および表示装置を提供することによって、従来技術に存在する問題を解決する必要がある。
【発明の概要】
【発明が解決しようとする課題】
【０００６】
本発明の目的は、漏電現象が比較的軽微であり、かつ信頼性が高い走査駆動回路および表示装置を提供することによって、従来の走査駆動回路の漏電現象を発生しやすく、それによって走査駆動回路の信頼性に影響を及ぼすという技術的課題を解決することにある。
【課題を解決するための手段】
【０００７】
本発明の実施例は、カスケード走査線を駆動操作するための走査駆動回路を提供し、
【０００８】
前段の走査信号を受信し、前記前段の走査信号に基づいて対応する前記走査線の走査レベル信号を生成するためのプルアップ制御モジュールと、
【０００９】
前記走査レベル信号および自段のクロック信号に基づいて、対応する前記走査線の自段の走査信号をプルアップするための駆動モジュールと、
【００１０】
次段の走査信号に基づいて、対応する前記走査線の走査レベル信号をプルダウンするためのプルダウンモジュールと、
【００１１】
対応する前記走査線の走査レベル信号のＬｏｗレベルを維持するためのプルダウン維持モジュールと、
【００１２】
プルダウンＬｏｗレベルを提供するための定電圧Ｌｏｗレベル源とを含む。
【００１３】
ここで、前記プルアップ制御モジュールは、第１のスイッチトランジスタと、第２のスイッチトランジスタと、第３のスイッチトランジスタとを含み、前記第１のスイッチトランジスタの入力端子に、前記前段の走査信号を入力し、前記第１のスイッチトランジスタの制御端子に、前記前段の走査信号を入力し、前記第１のスイッチトランジスタの出力端子は、前記第２のスイッチトランジスタの入力端子と接続され、前記第２のスイッチトランジスタの制御端子に、前記前段の走査信号を入力し、前記第２のスイッチトランジスタの出力端子は、前記走査レベル信号を出力し、前記第３のスイッチトランジスタの入力端子は、定電圧Ｈｉｇｈレベル源と接続され、前記第３のスイッチトランジスタの出力端子は、前記第２のスイッチトランジスタの入力端子と接続され、前記第３のスイッチトランジスタの制御端子は、前記第２のスイッチトランジスタの出力端子と接続される。
【００１４】
本発明に記載の走査駆動回路において、前記前段の走査信号は、前の４段の走査信号であり、前記次段の走査信号は、次の５段の走査信号である。
【００１５】
本発明に記載の走査駆動回路において、前記駆動モジュールは、第４のスイッチトランジスタと、第５のスイッチトランジスタとを含む。
【００１６】
前記第４のスイッチトランジスタの制御端子は、前記プルアップ制御モジュールの出力と接続され、前記第４のスイッチトランジスタの入力端子に、前記自段のクロック信号を入力し、前記第４のスイッチトランジスタの出力端子は、自段のカスケード信号を出力し、前記第５のスイッチトランジスタの制御端子は、前記プルアップ制御モジュールの出力と接続され、前記第５のスイッチトランジスタの入力端子に、前記自段のクロック信号を入力し、前記第５のスイッチトランジスタの出力端子は、自段の走査信号を出力する。
【００１７】
本発明に記載の走査駆動回路において、前記走査駆動回路は、前記走査線の自段の走査信号のＨｉｇｈレベルを生成するためのブートストラップキャパシタをさらに含む。
【００１８】
前記ブートストラップキャパシタの一端は、前記プルアップ制御モジュールの出力と接続され、前記ブートストラップキャパシタの他端は、前記第５のスイッチトランジスタの出力端子と接続される。
【００１９】
本発明に記載の走査駆動回路において、前記プルダウンモジュールは、第６のスイッチトランジスタと、第７のスイッチトランジスタとを含む。
【００２０】
前記第６のスイッチトランジスタの制御端子に、前記次段の走査信号を入力し、前記第６のスイッチトランジスタの入力端子は、前記定電圧Ｌｏｗレベル源と接続され、前記第６のスイッチトランジスタの出力端子は、前記第２のスイッチトランジスタの出力端子と接続される。
【００２１】
前記第７のスイッチトランジスタの制御端子に、前記次段の走査信号を入力し、前記第７のスイッチトランジスタの入力端子は、前記定電圧Ｌｏｗレベル源と接続され、前記第７のスイッチトランジスタの出力端子は、前記駆動モジュールの出力端子と接続される。
【００２２】
本発明に記載の走査駆動回路において、前記プルダウン維持モジュールは、第８のスイッチトランジスタと、第９のスイッチトランジスタと、第１０のスイッチトランジスタと、第１１のスイッチトランジスタと、第１２のスイッチトランジスタと、第１３のスイッチトランジスタと、第１４のスイッチトランジスタと、第１５のスイッチトランジスタと、第１６のスイッチトランジスタと、第１７のスイッチトランジスタと、第１８のスイッチトランジスタと、第１９のスイッチトランジスタとを含む。
【００２３】
ここで、前記第８のスイッチトランジスタの制御端子は、第１の基準点と接続され、前記第８のスイッチトランジスタの入力端子は、前記定電圧Ｌｏｗレベル源と接続され、前記第８のスイッチトランジスタの出力端子は、前記第２のスイッチトランジスタの出力端子と接続される。
【００２４】
前記第９のスイッチトランジスタの制御端子は、前記第１の基準点と接続され、前記第９のスイッチトランジスタの入力端子は、前記定電圧Ｌｏｗレベル源と接続され、前記第９のスイッチトランジスタの出力端子は、前記駆動モジュールの出力端子と接続される。
【００２５】
前記第１０のスイッチトランジスタの制御端子は、前記第１２のスイッチトランジスタの出力端子と接続され、前記第１０のスイッチトランジスタの入力端子に、第１の低周波電位信号を入力し、前記第１０のスイッチトランジスタの出力端子は、前記第１の基準点と接続される。
【００２６】
前記第１１のスイッチトランジスタの制御端子は、前記第２のスイッチトランジスタの出力端子と接続され、前記第１１のスイッチトランジスタの入力端子は、前記定電圧Ｌｏｗレベル源と接続され、前記第１１のスイッチトランジスタの出力端子は、前記第１の基準点と接続される。
【００２７】
前記第１２のスイッチトランジスタの制御端子に、前記第１の低周波電位信号を入力し、前記第１２のスイッチトランジスタの入力端子に、前記第１の低周波電位信号を入力する。
【００２８】
前記第１３のスイッチトランジスタの制御端子は、前記第２のスイッチトランジスタの出力端子と接続され、前記第１３のスイッチトランジスタの入力端子は、前記定電圧Ｌｏｗレベル源と接続され、前記第１３のスイッチトランジスタの出力端子は、前記第１０のスイッチトランジスタの制御端子と接続される。
【００２９】
前記第１４のスイッチトランジスタの制御端子は、第２の基準点と接続され、前記第１４のスイッチトランジスタの入力端子は、前記定電圧Ｌｏｗレベル源と接続され、前記第１４のスイッチトランジスタの出力端子は、前記第２のスイッチトランジスタの出力端子と接続される。
【００３０】
前記第１５のスイッチトランジスタの制御端子は、前記第２の基準点と接続され、前記第１５のスイッチトランジスタの入力端子は、前記定電圧Ｌｏｗレベル源と接続され、前記第１５のスイッチトランジスタの出力端子は、前記駆動モジュールの出力端子と接続される。
【００３１】
前記第１６のスイッチトランジスタの制御端子は、前記第１８のスイッチトランジスタの出力端子と接続され、前記第１６のスイッチトランジスタの入力端子に、第２の低周波電位信号を入力し、前記第１６のスイッチトランジスタの出力端子は、前記第２の基準点と接続される。
【００３２】
前記第１７のスイッチトランジスタの制御端子は、前記第２のスイッチトランジスタの出力端子と接続され、前記第１７のスイッチトランジスタの入力端子は、前記定電圧Ｌｏｗレベル源と接続され、前記第１７のスイッチトランジスタの出力端子は、前記第２の基準点と接続される。
【００３３】
前記第１８のスイッチトランジスタの制御端子に、前記第２の低周波電位信号を入力し、前記第１８のスイッチトランジスタの入力端子に、前記第２の低周波電位信号を入力する。
【００３４】
前記第１９のスイッチトランジスタの制御端子は、前記第２のスイッチトランジスタの出力端子と接続され、前記第１９のスイッチトランジスタの入力端子は、前記定電圧Ｌｏｗレベル源と接続され、前記第１９のスイッチトランジスタの出力端子は、前記第１６のスイッチトランジスタの制御端子と接続される。
【００３５】
本発明に記載の走査駆動回路において、前記第１の低周波電位信号と前記第２の低周波電位信号とは、逆相信号である。
【００３６】
本発明実施例は、カスケード走査線を駆動操作するための走査駆動回路をさらに提供し、それは、
【００３７】
前段の走査信号を受信し、前記前段の走査信号に基づいて対応する前記走査線の走査レベル信号を生成するためのプルアップ制御モジュールと、
【００３８】
前記走査レベル信号および自段のクロック信号に基づいて、対応する前記走査線の自段の走査信号をプルアップするための駆動モジュールと、
【００３９】
次段の走査信号に基づいて、対応する前記走査線の走査レベル信号をプルダウンするためのプルダウンモジュールと、
【００４０】
対応する前記走査線の走査レベル信号のＬｏｗレベルを維持するためのプルダウン維持モジュールと、
【００４１】
プルダウンＬｏｗレベルを提供するための定電圧Ｌｏｗレベル源とを含む。
【００４２】
ここで、前記プルアップ制御モジュールは、第１のスイッチトランジスタと、第２のスイッチトランジスタと、第３のスイッチトランジスタとを含み、前記第１のスイッチトランジスタの入力端子に、前記前段の走査信号を入力し、前記第１のスイッチトランジスタの制御端子に、前記前段の走査信号を入力し、前記第１のスイッチトランジスタの出力端子は、前記第２のスイッチトランジスタの入力端子と接続され、前記第２のスイッチトランジスタの制御端子に、前記前段の走査信号を入力し、前記第２のスイッチトランジスタの出力端子は、前記走査レベル信号を出力し、前記第３のスイッチトランジスタの入力端子は、駆動モジュールの出力端子と接続され、前記第３のスイッチトランジスタの出力端子は、前記第２のスイッチトランジスタの入力端子と接続され、前記第３のスイッチトランジスタの制御端子は、前記第２のスイッチトランジスタの出力端子と接続される。
【００４３】
本発明に記載の走査駆動回路において、前記前段の走査信号は、前の４段の走査信号であり、前記次段の走査信号は、次の５段の走査信号である。
【００４４】
本発明に記載の走査駆動回路において、前記駆動モジュールは、第４のスイッチトランジスタと、第５のスイッチトランジスタとを含む。
【００４５】
前記第４のスイッチトランジスタの制御端子は、前記プルアップ制御モジュールの出力と接続され、前記第４のスイッチトランジスタの入力端子に、前記自段のクロック信号を入力し、前記第４のスイッチトランジスタの出力端子は、自段のカスケード信号を出力し、前記第５のスイッチトランジスタの制御端子は、前記プルアップ制御モジュールの出力と接続され、前記第５のスイッチトランジスタの入力端子に、前記自段のクロック信号を入力し、前記第５のスイッチトランジスタの出力端子は、自段の走査信号を出力する。
【００４６】
本発明に記載の走査駆動回路において、前記走査駆動回路は、前記走査線の自段の走査信号のＨｉｇｈレベルを生成するためのブートストラップキャパシタをさらに含む。
【００４７】
前記ブートストラップキャパシタの一端は、前記プルアップ制御モジュールの出力と接続され、前記ブートストラップキャパシタの他端は、前記第５のスイッチトランジスタの出力端子と接続される。
【００４８】
本発明に記載の走査駆動回路において、前記プルダウンモジュールは、第６のスイッチトランジスタと、第７のスイッチトランジスタとを含む。
【００４９】
前記第６のスイッチトランジスタの制御端子に、前記次段の走査信号を入力し、前記第６のスイッチトランジスタの入力端子は、前記定電圧Ｌｏｗレベル源と接続され、前記第６のスイッチトランジスタの出力端子は、前記第２のスイッチトランジスタの出力端子と接続される。
【００５０】
前記第７のスイッチトランジスタの制御端子に、前記次段の走査信号を入力し、前記第７のスイッチトランジスタの入力端子は、前記定電圧Ｌｏｗレベル源と接続され、前記第７のスイッチトランジスタの出力端子は、前記駆動モジュールの出力端子と接続される。
【００５１】
本発明に記載の走査駆動回路において、前記プルダウン維持モジュールは、第８のスイッチトランジスタと、第９のスイッチトランジスタと、第１０のスイッチトランジスタと、第１１のスイッチトランジスタと、第１２のスイッチトランジスタと、第１３のスイッチトランジスタと、第１４のスイッチトランジスタと、第１５のスイッチトランジスタと、第１６のスイッチトランジスタと、第１７のスイッチトランジスタと、第１８のスイッチトランジスタと、第１９のスイッチトランジスタとを含む。
【００５２】
ここで、前記第８のスイッチトランジスタの制御端子は、第１の基準点と接続され、前記第８のスイッチトランジスタの入力端子は、前記定電圧Ｌｏｗレベル源と接続され、前記第８のスイッチトランジスタの出力端子は、前記第２のスイッチトランジスタの出力端子と接続される。
【００５３】
前記第９のスイッチトランジスタの制御端子は、前記第１の基準点と接続され、前記第９のスイッチトランジスタの入力端子は、前記定電圧Ｌｏｗレベル源と接続され、前記第９のスイッチトランジスタの出力端子は、前記駆動モジュールの出力端子と接続される。
【００５４】
前記第１０のスイッチトランジスタの制御端子は、前記第１２のスイッチトランジスタの出力端子と接続され、前記第１０のスイッチトランジスタの入力端子に、第１の低周波電位信号を入力し、前記第１０のスイッチトランジスタの出力端子は、前記第１の基準点と接続される。
【００５５】
前記第１１のスイッチトランジスタの制御端子は、前記第２のスイッチトランジスタの出力端子と接続され、前記第１１のスイッチトランジスタの入力端子は、前記定電圧Ｌｏｗレベル源と接続され、前記第１１のスイッチトランジスタの出力端子は、前記第１の基準点と接続される。
【００５６】
前記第１２のスイッチトランジスタの制御端子に、前記第１の低周波電位信号を入力し、前記第１２のスイッチトランジスタの入力端子に、前記第１の低周波電位信号を入力する。
【００５７】
前記第１３のスイッチトランジスタの制御端子は、前記第２のスイッチトランジスタの出力端子と接続され、前記第１３のスイッチトランジスタの入力端子は、前記定電圧Ｌｏｗレベル源と接続され、前記第１３のスイッチトランジスタの出力端子は、前記第１０のスイッチトランジスタの制御端子と接続される。
【００５８】
前記第１４のスイッチトランジスタの制御端子は、前記第２の基準点と接続され、前記第１４のスイッチトランジスタの入力端子は、前記定電圧Ｌｏｗレベル源と接続され、前記第１４のスイッチトランジスタの出力端子は、前記第２のスイッチトランジスタの出力端子と接続される。
【００５９】
前記第１５のスイッチトランジスタの制御端子は、前記第２の基準点と接続され、前記第１５のスイッチトランジスタの入力端子は、前記定電圧Ｌｏｗレベル源と接続され、前記第１５のスイッチトランジスタの出力端子は、前記駆動モジュールの出力端子と接続される。
【００６０】
前記第１６のスイッチトランジスタの制御端子は、前記第１８のスイッチトランジスタの出力端子と接続され、前記第１６のスイッチトランジスタの入力端子に、第２の低周波電位信号を入力し、前記第１６のスイッチトランジスタの出力端子は、前記第２の基準点と接続される。
【００６１】
前記第１７のスイッチトランジスタの制御端子は、前記第２のスイッチトランジスタの出力端子と接続され、前記第１７のスイッチトランジスタの入力端子は、前記定電圧Ｌｏｗレベル源と接続され、前記第１７のスイッチトランジスタの出力端子は、前記第２の基準点と接続される。
【００６２】
前記第１８のスイッチトランジスタの制御端子に、前記第２の低周波電位信号を入力し、前記第１８のスイッチトランジスタの入力端子に、前記第２の低周波電位信号を入力する。
【００６３】
前記第１９のスイッチトランジスタの制御端子は、前記第２のスイッチトランジスタの出力端子と接続され、前記第１９のスイッチトランジスタの入力端子は、前記定電圧Ｌｏｗレベル源と接続され、前記第１９のスイッチトランジスタの出力端子は、前記第１６のスイッチトランジスタの制御端子と接続される。
【００６４】
本発明に記載の走査駆動回路において、前記第１の低周波電位信号と前記第２の低周波電位信号とは、逆相信号である。
【００６５】
本発明実施例は、表示装置をさらに提供し、それは、カスケード走査線を駆動操作するための走査駆動回路を含み、前記走査駆動回路は、
【００６６】
前段の走査信号を受信し、前記前段の走査信号に基づいて対応する前記走査線の走査レベル信号を生成するためのプルアップ制御モジュールと、
【００６７】
前記走査レベル信号および自段のクロック信号に基づいて、対応する前記走査線の自段の走査信号をプルアップするための駆動モジュールと、
【００６８】
次段の走査信号に基づいて、対応する前記走査線の走査レベル信号をプルダウンするためのプルダウンモジュールと、
【００６９】
対応する前記走査線の走査レベル信号のＬｏｗレベルを維持するためのプルダウン維持モジュールと、
【００７０】
プルダウンＬｏｗレベルを提供するための定電圧Ｌｏｗレベル源とを含む。
【００７１】
ここで、前記プルアップ制御モジュールは、第１のスイッチトランジスタと、第２のスイッチトランジスタと、第３のスイッチトランジスタとを含み、前記第１のスイッチトランジスタの入力端子に、前記前段の走査信号を入力し、前記第１のスイッチトランジスタの制御端子に、前記前段の走査信号を入力し、前記第１のスイッチトランジスタの出力端子は、前記第２のスイッチトランジスタの入力端子と接続され、前記第２のスイッチトランジスタの制御端子に、前記前段の走査信号を入力し、前記第２のスイッチトランジスタの出力端子は、前記走査レベル信号を出力し、前記第３のスイッチトランジスタの入力端子は、定電圧Ｈｉｇｈレベル源と接続され、前記第３のスイッチトランジスタの出力端子は、前記第２のスイッチトランジスタの入力端子と接続され、前記第３のスイッチトランジスタの制御端子は、前記第２のスイッチトランジスタの出力端子と接続される。
【００７２】
本発明に記載の表示装置において、前記前段の走査信号は、前の４段の走査信号であり、前記次段の走査信号は、次の５段の走査信号である。
【００７３】
本発明に記載の表示装置において、前記駆動モジュールは、第４のスイッチトランジスタと、第５のスイッチトランジスタとを含む。
【００７４】
前記第４のスイッチトランジスタの制御端子は、前記プルアップ制御モジュールの出力と接続され、前記第４のスイッチトランジスタの入力端子に、前記自段のクロック信号を入力し、前記第４のスイッチトランジスタの出力端子は、自段のカスケード信号を出力し、前記第５のスイッチトランジスタの制御端子は、前記プルアップ制御モジュールの出力と接続され、前記第５のスイッチトランジスタの入力端子に、前記自段のクロック信号を入力し、前記第５のスイッチトランジスタの出力端子は、自段の走査信号を出力する。
【００７５】
本発明に記載の表示装置において、前記走査駆動回路は、前記走査線の自段の走査信号のＨｉｇｈレベルを生成するためのブートストラップキャパシタをさらに含む。
【００７６】
前記ブートストラップキャパシタの一端は、前記プルアップ制御モジュールの出力と接続され、前記ブートストラップキャパシタの他端は、前記第５のスイッチトランジスタの出力端子と接続される。
【００７７】
本発明に記載の表示装置において、前記プルダウンモジュールは、第６のスイッチトランジスタと、第７のスイッチトランジスタとを含む。
【００７８】
前記第６のスイッチトランジスタの制御端子に、前記次段の走査信号を入力し、前記第６のスイッチトランジスタの入力端子は、前記定電圧Ｌｏｗレベル源と接続され、前記第６のスイッチトランジスタの出力端子は、前記第２のスイッチトランジスタの出力端子と接続される。
【００７９】
前記第７のスイッチトランジスタの制御端子に、前記次段の走査信号を入力し、前記第７のスイッチトランジスタの入力端子は、前記定電圧Ｌｏｗレベル源と接続され、前記第７のスイッチトランジスタの出力端子は、前記駆動モジュールの出力端子と接続される。
【００８０】
本発明に記載の表示装置において、前記プルダウン維持モジュールは、第８のスイッチトランジスタと、第９のスイッチトランジスタと、第１０のスイッチトランジスタと、第１１のスイッチトランジスタと、第１２のスイッチトランジスタと、第１３のスイッチトランジスタと、第１４のスイッチトランジスタと、第１５のスイッチトランジスタと、第１６のスイッチトランジスタと、第１７のスイッチトランジスタと、第１８のスイッチトランジスタと、第１９のスイッチトランジスタとを含む。
【００８１】
ここで、前記第８のスイッチトランジスタの制御端子は、第１の基準点と接続され、前記第８のスイッチトランジスタの入力端子は、前記定電圧Ｌｏｗレベル源と接続され、前記第８のスイッチトランジスタの出力端子は、前記第２のスイッチトランジスタの出力端子と接続される。
【００８２】
前記第９のスイッチトランジスタの制御端子は、前記第１の基準点と接続され、前記第９のスイッチトランジスタの入力端子は、前記定電圧Ｌｏｗレベル源と接続され、前記第９のスイッチトランジスタの出力端子は、前記駆動モジュールの出力端子と接続される。
【００８３】
前記第１０のスイッチトランジスタの制御端子は、前記第１２のスイッチトランジスタの出力端子と接続され、前記第１０のスイッチトランジスタの入力端子に、第１の低周波電位信号を入力し、前記第１０のスイッチトランジスタの出力端子は、前記第１の基準点と接続される。
【００８４】
前記第１１のスイッチトランジスタの制御端子は、前記第２のスイッチトランジスタの出力端子と接続され、前記第１１のスイッチトランジスタの入力端子は、前記定電圧Ｌｏｗレベル源と接続され、前記第１１のスイッチトランジスタの出力端子は、前記第１の基準点と接続される。
【００８５】
前記第１２のスイッチトランジスタの制御端子に、前記第１の低周波電位信号を入力し、前記第１２のスイッチトランジスタの入力端子に、前記第１の低周波電位信号を入力する。
【００８６】
前記第１３のスイッチトランジスタの制御端子は、前記第２のスイッチトランジスタの出力端子と接続され、前記第１３のスイッチトランジスタの入力端子は、前記定電圧Ｌｏｗレベル源と接続され、前記第１３のスイッチトランジスタの出力端子は、前記第１０のスイッチトランジスタの制御端子と接続される。
【００８７】
前記第１４のスイッチトランジスタの制御端子は、第２の基準点と接続され、前記第１４のスイッチトランジスタの入力端子は、前記定電圧Ｌｏｗレベル源と接続され、前記第１４のスイッチトランジスタの出力端子は、前記第２のスイッチトランジスタの出力端子と接続される。
【００８８】
前記第１５のスイッチトランジスタの制御端子は、前記第２の基準点と接続され、前記第１５のスイッチトランジスタの入力端子は、前記定電圧Ｌｏｗレベル源と接続され、前記第１５のスイッチトランジスタの出力端子は、前記駆動モジュールの出力端子と接続される。
【００８９】
前記第１６のスイッチトランジスタの制御端子は、前記第１８のスイッチトランジスタの出力端子と接続され、前記第１６のスイッチトランジスタの入力端子に、第２の低周波電位信号を入力し、前記第１６のスイッチトランジスタの出力端子は、前記第２の基準点と接続される。
【００９０】
前記第１７のスイッチトランジスタの制御端子は、前記第２のスイッチトランジスタの出力端子と接続され、前記第１７のスイッチトランジスタの入力端子は、前記定電圧Ｌｏｗレベル源と接続され、前記第１７のスイッチトランジスタの出力端子は、前記第２の基準点と接続される。
【００９１】
前記第１８のスイッチトランジスタの制御端子に、前記第２の低周波電位信号を入力し、前記第１８のスイッチトランジスタの入力端子に、前記第２の低周波電位信号を入力する。
【００９２】
前記第１９のスイッチトランジスタの制御端子は、前記第２のスイッチトランジスタの出力端子と接続され、前記第１９のスイッチトランジスタの入力端子は、前記定電圧Ｌｏｗレベル源と接続され、前記第１９のスイッチトランジスタの出力端子は、前記第１６のスイッチトランジスタの制御端子と接続される。
【発明の効果】
【００９３】
従来の走査駆動回路および表示装置と比べて、本発明の走査駆動回路および表示装置は、複数のスイッチトランジスタを有するプルアップ制御モジュールを設置することによって、しっかりと漏電現象の発生を防ぎ、走査駆動回路の信頼性を高めることができ、従来の走査駆動回路の漏電現象が発生しやすく、それによって走査駆動回路の信頼性に影響を及ぼすという技術的課題を解決した。
【図面の簡単な説明】
【００９４】
本発明の上記内容をより明確にわかりやすくするため、以下では特に好適実施例を挙げ、添付の図面を組み合わせて、以下のように詳細に説明する。
【図１】図１は、本発明の走査駆動回路の第１の好適実施例の構造概略図である。
【図２】図２は、本発明の走査駆動回路の第１の好適実施例の信号波形図である。
【図３】図３は、本発明の走査駆動回路の第２の好適実施例の構造概略図である。
【発明を実施するための形態】
【００９５】
以下の各実施例の説明は、添付した図面を参照しながら、本発明を実施するために用いることができる特定の実施例を例示するためのものである。本発明で述べる方向用語、例えば「上」、「下」、「前」、「後」、「左」、「右」、「内」、「外」、「側面」などは、添付図面の方向を参照するものにすぎない。このため、使用する方向用語は、本発明を説明および理解するためのものであり、本発明を制限するためのものではない。
【００９６】
図中、構造が類似する単位は、同一記号によって表した。
【００９７】
図１および図２を参照されたい。図１は、本発明の走査駆動回路の第１の好適実施例の構造概略図である。図２は、本発明の走査駆動回路の第１の好適実施例の信号波形図である。本好適実施例の走査駆動回路は、カスケード走査線を駆動操作するために用いられ、本好適実施例の走査駆動回路１０は、プルアップ制御モジュール１１と、駆動モジュール１２と、プルダウンモジュール１３と、プルダウン維持モジュール１４と、定電圧Ｌｏｗレベル源ＶＳＳと、ブートストラップキャパシタＣｂとを含む。
【００９８】
プルアップ制御モジュール１１は、前段の走査信号を受信し、前段の走査信号に基づいて対応する走査線の走査レベル信号Ｑ（ｎ）を生成するために用いられる。駆動モジュール１２は、走査レベル信号Ｑ（ｎ）および自段のクロック信号ＣＫ（ｎ）に基づいて、対応する走査線の自段の走査信号Ｇ（ｎ）をプルアップするために用いられる。プルダウンモジュール１３は、次段の走査信号に基づいて、対応する走査線の走査レベル信号Ｑ（ｎ）をプルダウンするために用いられる。プルダウン維持モジュール１４は、対応する走査線の走査レベル信号Ｑ（ｎ）のＬｏｗレベルを維持するために用いられる。定電圧Ｌｏｗレベル源ＶＳＳは、プルダウンＬｏｗレベルを提供するために用いられる。ブートストラップキャパシタＣｂは、走査線の自段の走査信号Ｇ（ｎ）のＨｉｇｈレベルを生成するために用いられる。
【００９９】
ここで、プルアップ制御モジュール１１は、第１のスイッチトランジスタＴ１と、第２のスイッチトランジスタＴ２と、第３のスイッチトランジスタＴ３とを含む。第１のスイッチトランジスタＴ１の入力端子に、前の４段の走査信号Ｇ（ｎ−４）を入力し、第１のスイッチトランジスタＴ１の制御端子に、前の４段の走査信号Ｇ（ｎ−４）を入力し、第１のスイッチトランジスタＴ１の出力端子は、第２のスイッチトランジスタＴ２の入力端子と接続され、第２のスイッチトランジスタＴ２の制御端子に、前の４段の走査信号Ｇ（ｎ−４）を入力し、第２のスイッチトランジスタＴ２の出力端子は、走査レベル信号Ｑ（ｎ）を出力し、第３のスイッチトランジスタＴ３の入力端子は、定電圧Ｈｉｇｈレベル源ＶＧＨと接続され、第３のスイッチトランジスタＴ３の出力端子は、第２のスイッチトランジスタＴ２の入力端子と接続され、第３のスイッチトランジスタＴ３の制御端子は、第２のスイッチトランジスタＴ２の出力端子と接続される。
【０１００】
駆動モジュール１２は、第４のスイッチトランジスタＴ４と、第５のスイッチトランジスタＴ５とを含む。第４のスイッチトランジスタＴ４の制御端子は、プルアップ制御モジュール１１の出力と接続され、第４のスイッチトランジスタＴ４の入力端子に、自段のクロック信号ＣＫ（ｎ）を入力し、第４のスイッチトランジスタＴ４の出力端子は、自段のカスケード信号ＳＴ（ｎ）を出力し、第５のスイッチトランジスタＴ５の制御端子は、プルアップ制御モジュール１１の出力と接続され、第５のスイッチトランジスタＴ５の入力端子に、自段のクロック信号ＣＫ（ｎ）を入力し、第５のスイッチトランジスタＴ５の出力端子は、自段の走査信号Ｇ（ｎ）を出力する。
【０１０１】
ブートストラップキャパシタＣｂの一端は、プルアップ制御モジュール１１の出力と接続され、ブートストラップキャパシタＣｂの他端は、第５のスイッチトランジスタＴ５の出力端子と接続される。
【０１０２】
プルダウンモジュール１３は、第６のスイッチトランジスタＴ６と、第７のスイッチトランジスタＴ７とを含む。第６のスイッチトランジスタＴ６の制御端子に、次の５段の走査信号Ｇ（ｎ＋５）を入力し、第６のスイッチトランジスタＴ６の入力端子は、定電圧Ｌｏｗレベル源ＶＳＳと接続され、第６のスイッチトランジスタＴ６の出力端子は、第２のスイッチトランジスタＴ２の出力端子と接続され、第７のスイッチトランジスタＴ７の制御端子に、次の５段の走査信号Ｇ（ｎ＋５）を入力し、第７のスイッチトランジスタＴ７の入力端子は、定電圧Ｌｏｗレベル源ＶＳＳと接続され、第７のスイッチトランジスタＴ７の出力端子は、駆動モジュール１２の出力端子と接続される。
【０１０３】
プルダウン維持モジュール１４は、第８のスイッチトランジスタＴ８と、第９のスイッチトランジスタＴ９と、第１０のスイッチトランジスタＴ１０と、第１１のスイッチトランジスタＴ１１と、第１２のスイッチトランジスタＴ１２と、第１３のスイッチトランジスタＴ１３と、第１４のスイッチトランジスタＴ１４と、第１５のスイッチトランジスタＴ１５と、第１６のスイッチトランジスタＴ１６と、第１７のスイッチトランジスタＴ１７と、第１８のスイッチトランジスタＴ１８と、第１９のスイッチトランジスタＴ１９とを含む。
【０１０４】
第８のスイッチトランジスタＴ８の制御端子は、第１の基準点Ｐ（ｎ）と接続され、第８のスイッチトランジスタＴ８の入力端子は、定電圧Ｌｏｗレベル源ＶＳＳと接続され、第８のスイッチトランジスタＴ８の出力端子は、第２のスイッチトランジスタＴ２の出力端子と接続される。
【０１０５】
第９のスイッチトランジスタＴ９の制御端子は、第１の基準点Ｐ（ｎ）と接続され、第９のスイッチトランジスタＴ９の入力端子は、定電圧Ｌｏｗレベル源ＶＳＳと接続され、第９のスイッチトランジスタＴ９の出力端子は、駆動モジュール１２の出力端子と接続される。
【０１０６】
第１０のスイッチトランジスタＴ１０の制御端子は、第１２のスイッチトランジスタＴ１２の出力端子と接続され、第１０のスイッチトランジスタＴ１０の入力端子に、第１の低周波電位信号ＬＣ１を入力し、第１０のスイッチトランジスタＴ１０の出力端子は、第１の基準点Ｐ（ｎ）と接続される。
【０１０７】
第１１のスイッチトランジスタＴ１１の制御端子は、第２のスイッチトランジスタＴ２の出力端子と接続され、第１１のスイッチトランジスタＴ１１の入力端子は、定電圧Ｌｏｗレベル源ＶＳＳと接続され、第１１のスイッチトランジスタＴ１１の出力端子は、第１の基準点Ｐ（ｎ）と接続される。
【０１０８】
第１２のスイッチトランジスタＴ１２の制御端子に、第１の低周波電位信号ＬＣ１を入力し、第１２のスイッチトランジスタＴ１２の入力端子に、第１の低周波電位信号ＬＣ１を入力する。
【０１０９】
第１３のスイッチトランジスタＴ１３の制御端子は、第２のスイッチトランジスタＴ２の出力端子と接続され、第１３のスイッチトランジスタＴ１３の入力端子は、定電圧Ｌｏｗレベル源ＶＳＳと接続され、第１３のスイッチトランジスタＴ１３の出力端子は、第１０のスイッチトランジスタＴ１０の制御端子と接続される。
【０１１０】
第１４のスイッチトランジスタＴ１４の制御端子は、第２の基準点Ｋ（ｎ）と接続され、第１４のスイッチトランジスタＴ１４の入力端子は、定電圧Ｌｏｗレベル源ＶＳＳと接続され、第１４のスイッチトランジスタＴ１４の出力端子は、第２のスイッチトランジスタＴ２の出力端子と接続される。
【０１１１】
第１５のスイッチトランジスタＴ１５の制御端子は、第２の基準点Ｋ（ｎ）と接続され、第１５のスイッチトランジスタＴ１５の入力端子は、定電圧Ｌｏｗレベル源ＶＳＳと接続され、第１５のスイッチトランジスタＴ１５の出力端子は、駆動モジュール１２の出力端子と接続される。
【０１１２】
第１６のスイッチトランジスタＴ１６の制御端子は、第１８のスイッチトランジスタＴ１８の出力端子と接続され、第１６のスイッチトランジスタＴ１６の入力端子に、第２の低周波電位信号ＬＣ２を入力し、第１６のスイッチトランジスタＴ１６の出力端子は、第２の基準点Ｋ（ｎ）と接続される。
【０１１３】
第１７のスイッチトランジスタＴ１７の制御端子は、第２のスイッチトランジスタＴ２の出力端子と接続され、第１７のスイッチトランジスタＴ１７の入力端子は、定電圧Ｌｏｗレベル源ＶＳＳと接続され、第１７のスイッチトランジスタＴ１７の出力端子は、第２の基準点Ｋ（ｎ）と接続される。
【０１１４】
第１８のスイッチトランジスタＴ１８の制御端子に、第２の低周波電位信号ＬＣ２を入力し、第１８のスイッチトランジスタＴ１８の入力端子に、第２の低周波電位信号ＬＣ２を入力する。
【０１１５】
第１９のスイッチトランジスタＴ１９の制御端子は、第２のスイッチトランジスタＴ２の出力端子と接続され、第１９のスイッチトランジスタＴ１９の入力端子は、定電圧Ｌｏｗレベル源ＶＳＳと接続され、第１９のスイッチトランジスタＴ１９の出力端子は、第１６のスイッチトランジスタＴ１６の制御端子と接続される。
【０１１６】
ここで、第１の低周波電位信号ＬＣ１と第２の低周波電位信号ＬＣ２とは、逆相信号である。
【０１１７】
図１および図２を参照されたい。本好適実施例の走査駆動回路１０を使用する場合、前の４段の走査信号Ｇ（ｎ−４）がＨｉｇｈレベルであるときは、第１のスイッチトランジスタＴ１と第２のスイッチトランジスタＴ２とは導通し、前の４段の走査信号Ｇ（ｎ−４）は、第１のスイッチトランジスタＴ１および第２のスイッチトランジスタＴ２によってブートストラップキャパシタＣｂを充電し、走査レベル信号Ｑ（ｎ）をより高いレベルまで上昇させる。その後、前の４段の走査信号Ｇ（ｎ−４）はＬｏｗレベルになり、第１のスイッチトランジスタＴ１と第２のスイッチトランジスタＴ２とは遮断され、走査レベル信号Ｑ（ｎ）は、ブートストラップキャパシタＣｂによってより高いレベルに維持されると同時に、第３のスイッチトランジスタＴ３は、走査レベル信号Ｑ（ｎ）のＨｉｇｈレベルの作用によって導通され、定電圧Ｈｉｇｈレベル源ＶＧＨは、第３のスイッチトランジスタＴ３によって第２のスイッチトランジスタＴ２の入力端に接続され、それによって第２のスイッチトランジスタＴ２の入力端子と出力端子との間の電圧差は小さくなり、前の４段の走査信号Ｇ（ｎ−４）の電圧が変化することによる第２のスイッチトランジスタＴ２の漏電現象の発生を防ぎ、それによって走査駆動回路１０の信頼性を高める。
【０１１８】
その後、自段のクロック信号ＣＫ（ｎ）はＨｉｇｈレベルになり、クロック信号ＣＫ（ｎ）は、第５のスイッチトランジスタＴ５によって引き続きブートストラップキャパシタＣｂを充電し、走査レベル信号Ｑ（ｎ）をより高いレベルに到達させ、自段の走査信号Ｇ（Ｎ）もＨｉｇｈレベルになる。
【０１１９】
このとき、第４のスイッチトランジスタＴ４と第５のスイッチトランジスタＴ５とは導通し、第５のスイッチトランジスタＴ５の出力端子は、自段の走査信号Ｇ（ｎ）を出力し、第４のスイッチトランジスタＴ４の出力端子は、自段のカスケード信号ＳＴ（ｎ）を出力する。
【０１２０】
それと同時に、第１１のスイッチトランジスタＴ１１、第１３のスイッチトランジスタＴ１３、第１７のスイッチトランジスタＴ１７および第１９のスイッチトランジスタＴ１９は、走査レベル信号Ｑ（ｎ）のＨｉｇｈレベルの作用によって導通し、第１の基準点Ｐ（ｎ）および第２の基準点Ｋ（ｎ）は、定電圧Ｌｏｗレベル源ＶＳＳの制御によって、Ｌｏｗレベルを保持し、それによって第８のスイッチトランジスタＴ８、第９のスイッチトランジスタＴ９、第１４のスイッチトランジスタＴ１４および第１５のスイッチトランジスタＴ１５は、遮断状態を保持し、それによって走査制御信号Ｑ（ｎ）のＨｉｇｈレベルを保証する。
【０１２１】
次の５段の走査信号Ｇ（ｎ＋５）がＨｉｇｈレベルになった場合、第６のスイッチトランジスタＴ６と第７のスイッチトランジスタＴ７とは導通し、走査制御信号Ｑ（ｎ）は、定電圧Ｌｏｗレベル源ＶＳＳによってＬｏｗレベルにプルされ、このとき、第１１のスイッチトランジスタＴ１１、第１３のスイッチトランジスタＴ１３、第１７のスイッチトランジスタＴ１７および第１９のスイッチトランジスタＴ１９は遮断される。プルダウン維持モジュール１４は、第１の低周波電位信号ＬＣ１および第２の低周波電位信号ＬＣ２の作用によって、走査制御信号Ｑ（ｎ）のＬｏｗレベルを維持する。
【０１２２】
第１の低周波電位信号ＬＣ１がＨｉｇｈレベルであり、第２の低周波電位信号ＬＣ２がＬｏｗレベルである場合、第１２のスイッチトランジスタＴ１２と第１０のスイッチトランジスタＴ１０とは導通し、第１の基準点Ｐ（ｎ）は、第１０のスイッチトランジスタＴ１０によってＨｉｇｈレベルにプルされ、こうして第８のスイッチトランジスタＴ８と第９のスイッチトランジスタＴ９とは導通し、走査制御信号Ｑ（ｎ）は、第８のスイッチトランジスタＴ８を介して定電圧Ｌｏｗレベル源ＶＳＳと接続され、それによって走査制御信号Ｑ（ｎ）のＬｏｗレベルを保持し、自段の走査信号Ｇ（ｎ）は、第９のスイッチトランジスタＴ９を介して定電圧Ｌｏｗレベル源ＶＳＳと接続され、それによって自段の走査信号Ｇ（ｎ）のＬｏｗレベルを保持する。
【０１２３】
第１の低周波電位信号ＬＣ１がＬｏｗレベルであり、第２の低周波電位信号ＬＣ２がＨｉｇｈレベルである場合、第１６のスイッチトランジスタＴ１６と第１８のスイッチトランジスタＴ１８とは導通し、基準点Ｋ（ｎ）は、第１６のスイッチトランジスタＴ１６によってＨｉｇｈレベルにプルされ、こうして第１４のスイッチトランジスタＴ１４と第１５のスイッチトランジスタＴ１５とは導通し、走査制御信号Ｑ（ｎ）は、第１５のスイッチトランジスタＴ１５を介して定電圧Ｌｏｗレベル源ＶＳＳと接続され、それによって走査制御信号Ｑ（ｎ）のＬｏｗレベルを保持し、自段の走査信号Ｇ（ｎ）は、第１４のスイッチトランジスタＴ１４を介して定電圧Ｌｏｗレベル源ＶＳＳと接続され、それによって自段の走査信号Ｇ（ｎ）のＬｏｗレベルを保持する。
【０１２４】
上記をまとめれば、本好適実施例の走査駆動回路１０のプルアップ制御モジュール１１は、第１のスイッチトランジスタＴ１、第２のスイッチトランジスタＴ２および第３のスイッチトランジスタＴ３の設置によって、前の４段の走査信号Ｇ（ｎ−４）がＬｏｗレベルに変換された場合、好ましくは、走査レベル信号Ｑ（Ｎ）のＨｉｇｈレベル状態を保持し、漏電現象の発生を防ぐことができる。
【０１２５】
具体的には図２を参照されたい。その中の自段の走査信号Ｇ（ｎ）および走査レベル信号Ｑ（ｎ）は、本好適実施例中の走査駆動回路１０における走査信号および走査レベル信号である。ここで、自段の走査信号Ｇ（ｎ）'および走査レベル信号Ｑ（Ｎ）'は、従来の走査駆動回路中の走査信号および走査レベル信号である。図中からわかるように、自段の走査信号Ｇ（ｎ）および走査レベル信号Ｑ（ｎ）の波形は、プルアップ制御モジュール１１の作用によってさらに改善される。
【０１２６】
本好適実施例の走査駆動回路は、複数のスイッチトランジスタを有するプルアップ制御モジュールを設置することによって、漏電現象の発生をしっかりと防ぎ、走査駆動回路の信頼性を高めることができる。
【０１２７】
図３を参照されたい。図３は、本発明の走査駆動回路の第２の好適実施例の構造概略図である。第１の好適実施例を基礎として、本好適実施例の走査駆動回路のプルアップ制御モジュールの第３のスイッチトランジスタＴ３'の入力端子は、駆動モジュールの出力端子と接続され、すなわち、第３のスイッチトランジスタＴ３'に、自段の走査信号Ｇ（ｎ）を入力する。このようにして同様に、走査レベル信号Ｑ（Ｎ）のＨｉｇｈレベル状態を安定させるという目的を達することができると同時に、余分な定電圧Ｈｉｇｈレベル源ＶＧＨを設置する必要もない。
【０１２８】
本好適実施例の走査駆動回路の具体的作動原理は、上記走査駆動回路の第１の好適実施例中の記述と同一でありまたは類似する。具体的には、走査駆動回路の第１の好適実施例中の関連記述を参照されたい。
【０１２９】
本発明は、表示装置をさらに提供し、該表示装置は、カスケード走査線を駆動操作するための走査駆動回路を含む。
【０１３０】
該走査駆動回路は、プルアップ制御モジュールと、駆動モジュールと、プルダウンモジュールと、プルダウン維持モジュールと、定電圧Ｌｏｗレベル源と、ブートストラップキャパシタとを含む。
【０１３１】
プルアップ制御モジュールは、前段の走査信号を受信し、前段の走査信号に基づいて、対応する走査線の走査レベル信号を生成するために用いられる。駆動モジュールは、走査レベル信号および自段のクロック信号に基づいて、対応する走査線の自段の走査信号をプルアップするために用いられる。プルダウンモジュールは、次段の走査信号に基づいて、対応する走査線の走査レベル信号をプルダウンするために用いられる。プルダウン維持モジュールは、対応する走査線の走査レベル信号のＬｏｗレベルを維持するために用いられる。定電圧Ｌｏｗレベル源は、プルダウンＬｏｗレベルを提供するために用いられる。ブートストラップキャパシタは、走査線の自段の走査信号のＨｉｇｈレベルを生成するために用いられる。
【０１３２】
ここで、プルアップ制御モジュールは、第１のスイッチトランジスタと、第２のスイッチトランジスタと、第３のスイッチトランジスタとを含む。第１のスイッチトランジスタの入力端子に、前段の走査信号を入力し、第１のスイッチトランジスタの制御端子に、前段の走査信号を入力し、第１のスイッチトランジスタの出力端子は、第２のスイッチトランジスタの入力端子と接続され、第２のスイッチトランジスタの制御端子に、前段の走査信号を入力し、第２のスイッチトランジスタの出力端子は、走査レベル信号を出力し、第３のスイッチトランジスタの入力端子は、定電圧Ｈｉｇｈレベル源と接続され、または、駆動モジュールの出力端子と接続され、第３のスイッチトランジスタの出力端子は、第２のスイッチトランジスタの入力端子と接続され、第３のスイッチトランジスタの制御端子は、第２のスイッチトランジスタの出力端子と接続される。
【０１３３】
好ましくは、前段の走査信号は、前の４段の走査信号であり、次段の走査信号は、次の５段の走査信号である。
【０１３４】
好ましくは、駆動モジュールは、第４のスイッチトランジスタと、第５のスイッチトランジスタとを含む。第４のスイッチトランジスタの制御端子は、プルアップ制御モジュールの出力と接続され、第４のスイッチトランジスタの入力端子に、自段のクロック信号を入力し、第４のスイッチトランジスタの出力端子は、自段のカスケード信号を出力し、第５のスイッチトランジスタの制御端子は、プルアップ制御モジュールの出力と接続され、第５のスイッチトランジスタの入力端子に、自段のクロック信号を入力し、第５のスイッチトランジスタの出力端子は、自段の走査信号を出力する。
【０１３５】
好ましくは、走査駆動回路は、前記走査線の自段の走査信号のＨｉｇｈレベルを生成するためのブートストラップキャパシタをさらに含み、ブートストラップキャパシタの一端は、プルアップ制御モジュールの出力と接続され、ブートストラップキャパシタの他端は、第５のスイッチトランジスタの出力端子と接続される。
【０１３６】
好ましくは、プルダウンモジュールは、第６のスイッチトランジスタと、第７のスイッチトランジスタとを含む。第６のスイッチトランジスタの制御端子に、次段の走査信号を入力し、第６のスイッチトランジスタの入力端子は、定電圧Ｌｏｗレベル源と接続され、第６のスイッチトランジスタの出力端子は、第２のスイッチトランジスタの出力端子と接続され、第７のスイッチトランジスタの制御端子に、次段の走査信号を入力し、第７のスイッチトランジスタの入力端子は、定電圧Ｌｏｗレベル源と接続され、第７のスイッチトランジスタの出力端子は、駆動モジュールの出力端子と接続される。
【０１３７】
好ましくは、プルダウン維持モジュールは、第８のスイッチトランジスタと、第９のスイッチトランジスタと、第１０のスイッチトランジスタと、第１１のスイッチトランジスタと、第１２のスイッチトランジスタと、第１３のスイッチトランジスタと、第１４のスイッチトランジスタと、第１５のスイッチトランジスタと、第１６のスイッチトランジスタと、第１７のスイッチトランジスタと、第１８のスイッチトランジスタと、第１９のスイッチトランジスタとを含む。ここで、第８のスイッチトランジスタの制御端子は、第１の基準点と接続され、第８のスイッチトランジスタの入力端子は、定電圧Ｌｏｗレベル源と接続され、第８のスイッチトランジスタの出力端子は、第２のスイッチトランジスタの出力端子と接続される。第９のスイッチトランジスタの制御端子は、第１の基準点と接続され、第９のスイッチトランジスタの入力端子は、定電圧Ｌｏｗレベル源と接続され、第９のスイッチトランジスタの出力端子は、駆動モジュールの出力端子と接続される。第１０のスイッチトランジスタの制御端子は、第１２のスイッチトランジスタの出力端子と接続され、第１０のスイッチトランジスタの入力端子に、第１の低周波電位信号を入力し、第１０のスイッチトランジスタの出力端子は、第１の基準点と接続される。第１１のスイッチトランジスタの制御端子は、第２のスイッチトランジスタの出力端子と接続され、第１１のスイッチトランジスタの入力端子は、定電圧Ｌｏｗレベル源と接続され、第１１のスイッチトランジスタの出力端子は、第１の基準点と接続される。第１２のスイッチトランジスタの制御端子に、第１の低周波電位信号を入力し、第１２のスイッチトランジスタの入力端子に、第１の低周波電位信号を入力する。第１３のスイッチトランジスタの制御端子は、第２のスイッチトランジスタの出力端子と接続され、第１３のスイッチトランジスタの入力端子は、定電圧Ｌｏｗレベル源と接続され、第１３のスイッチトランジスタの出力端子は、第１０のスイッチトランジスタの制御端子と接続される。第１４のスイッチトランジスタの制御端子は、第２の基準点と接続され、第１４のスイッチトランジスタの入力端子は、定電圧Ｌｏｗレベル源と接続され、第１４のスイッチトランジスタの出力端子は、第２のスイッチトランジスタの出力端子と接続される。第１５のスイッチトランジスタの制御端子は、第２の基準点と接続され、第１５のスイッチトランジスタの入力端子は、定電圧Ｌｏｗレベル源と接続され、第１５のスイッチトランジスタの出力端子は、駆動モジュールの出力端子と接続される。第１６のスイッチトランジスタの制御端子は、第１８のスイッチトランジスタの出力端子と接続され、第１６のスイッチトランジスタの入力端子に、第２の低周波電位信号を入力し、第１６のスイッチトランジスタの出力端子は、第２の基準点と接続される。第１７のスイッチトランジスタの制御端子は、第２のスイッチトランジスタの出力端子と接続され、第１７のスイッチトランジスタの入力端子は、定電圧Ｌｏｗレベル源と接続され、第１７のスイッチトランジスタの出力端子は、第２の基準点と接続される。第１８のスイッチトランジスタの制御端子に、第２の低周波電位信号を入力し、第１８のスイッチトランジスタの入力端子に、第２の低周波電位信号を入力する。第１９のスイッチトランジスタの制御端子は、第２のスイッチトランジスタの出力端子と接続され、第１９のスイッチトランジスタの入力端子は、定電圧Ｌｏｗレベル源と接続され、第１９のスイッチトランジスタの出力端子は、第１６のスイッチトランジスタの制御端子と接続される。
【０１３８】
好ましくは、第１の低周波電位信号と第２の低周波電位信号とは、逆相信号である。
【０１３９】
本発明の表示装置の具体的作動原理は、上記走査駆動回路の好適実施例中の記述と同一でありまたは類似する。具体的には、走査駆動回路の好適実施例中の関連記述を参照されたい。
【０１４０】
本発明の走査駆動回路および表示装置は、複数のスイッチトランジスタを有するプルアップ制御モジュールを設置することによって、しっかりと漏電現象の発生を防ぎ、走査駆動回路の信頼性を高めることができ、従来の走査駆動回路の漏電現象が発生しやすく、それによって走査駆動回路の信頼性に影響を及ぼすという技術的課題を解決した。
【０１４１】
上記をまとめれば、本発明を好適実施例によって上述のように開示したが、上記好適実施例は、本発明を制限するためのものではない。当業者なら、本発明の精神および範囲を逸脱せずに、各種変更および装飾を行うことができ、このため、本発明の保護範囲は、請求項によって定義された範囲を基準とする。
【図１】
2019537044.tif 000003
【図２】
2019537044.tif 000004
【図３】
2019537044.tif 000005
【国際調査報告】
2019537044.tif 000006
2019537044.tif 000007
2019537044.tif 000008
2019537044.tif 000009
2019537044.tif 000010